(57)【要約】【課題】  誘導加熱コイルの出力レベルを火力と火炎で分類し、本体に表示することにより、長年ガスコンロの火力に慣れ親しんできた使用者にとってガスコンロと同様の火加減が簡単に調節できる使いやすい誘導加熱装置を提供する。【解決手段】  誘導加熱コイルの出力レベルを、少なくともとろ火８ａ、弱火８ｂ、中火８ｃ、強火８ｄよりなる火力目安８と、前記とろ火８ａ、弱火８ｂ、中火８ｃ、強火８ｄに対応してその近傍に配置したとろ火火炎９ａ、弱火火炎９ｂ、中火火炎９ｃ、強火火炎９ｄよりなる炎マーク９の組み合わせとし、これらを本体１の上面前部に配置する。【選択図】  図２
2005302408.tif 000002
【特許請求の範囲】
【請求項１】
誘導加熱コイルの出力レベルを、少なくとも、とろ火火炎（９ａ）、弱火火炎（９ｂ）、中火火炎（９ｃ）、強火火炎（９ｄ）よりなる炎マーク（９）に分類し、これらを本体（１）に配置することを特徴とする誘導加熱装置。
【請求項２】
誘導加熱コイルの出力レベルを、少なくともとろ火（８ａ）、弱火（８ｂ）、中火（８ｃ）、強火（８ｄ）よりなる火力目安（８）と、前記とろ火（８ａ）、弱火（８ｂ）、中火（８ｃ）、強火（８ｄ）に対応してその近傍に配置したとろ火火炎（９ａ）、弱火火炎（９ｂ）、中火火炎（９ｃ）、強火火炎（９ｄ）よりなる炎マーク（９）の組み合わせとし、これらを本体（１）に配置することを特徴とする誘導加熱装置。
【発明の詳細な説明】
【技術分野】
【０００１】
本発明は、誘導加熱コイルの出力操作時にその出力レベルを火力で報知する誘導加熱装置に関するものである。
【背景技術】
【０００２】
従来、誘導加熱コイルの出力レベルの大小を調節できる誘導加熱装置において、その出力レベルの大小を表示する複数の発光素子と、この発光素子の出力レベルの大小に応じて音を発する発音体とを備え、発光素子の点灯数が変化する毎に音を発して視認性、操作性を上げ、使い勝手を向上させるようにしたものがある。
【０００３】
すなわち、図４に示すように、出力表示部２０を例えば１から１１段階までの数字で表された出力レベル２１と、この出力レベル２１の夫々の数字に対応してその下部に設けられた発光素子２２とで構成し、出力調節ツマミ（図示せず）を左右に回すと、出力レベル２１の数字と発光素子２２が１個づつ変わる毎に発音体２３から単一音を発してユーザーに出力変化を報知していた（特許文献１）。
【０００４】
また、出力レベルの大小を表示する複数の発光素子と報知手段とを備え、加熱の開始時のみ報知手段を鳴動させるものもあった（特許文献２）。
【０００５】
さらに、特許文献３に示すように、加熱出力の各設定値に対応して複数個の発光素子を設けたり、特許文献４に示すように、電力設定手段で設定したレベルに応じて出力レベルを表示する表示素子を備えたものもあった。
【０００６】
近年では、高齢化に伴い、特に安全性の点からガスコンロに代わって電気を熱源とする誘導加熱装置が大きく伸びてきている。この装置には１個または複数個のコンロ部を備えており、さらに、個々のコンロ部に対して出力レベルの大小を表示する複数個の発光素子を備えて、この発光素子の点灯数の増減に伴い音を報知しているものが多い。
【０００７】
【特許文献１】特公平６−６５１２７号公報
【０００８】
【特許文献２】実開昭５９−１３９９９７号公報
【特許文献３】実開昭５６−７２５００号公報
【特許文献４】実開昭５５−４７１９３号公報
【発明の開示】
【発明が解決しようとする課題】
【０００９】
上記従来の誘導加熱装置においては、使い勝手をさらに良くするために上記したように発光素子や発音体を備えているが、ガスコンロとは違って火力（出力）の強さを目で確認できないため、発光素子の点灯数の増減に伴って報知音を鳴動させるだけではガスの弱火や中火、強火等のイメージがわかりにくく、火力の強さがわかりにくいという問題があり、特に長年ガスコンロの火力に慣れ親しんできた高齢者にとってはその問題が顕著であった。
【課題を解決するための手段】
【００１０】
本発明は、上記課題を解決するものであり、請求項１では、誘導加熱コイルの出力レベルを、少なくとも、とろ火火炎、弱火火炎、中火火炎、強火火炎よりなる炎マークに分類し、これらを本体に配置するものである。
【００１１】
また、請求項２では、誘導加熱コイルの出力レベルを、少なくともとろ火、弱火、中火、強火よりなる火力目安と、前記とろ火、弱火、中火、強火に対応してその近傍に配置したとろ火火炎、弱火火炎、中火火炎、強火火炎よりなる炎マークの組み合わせとし、これらを本体に配置するものである。
【発明の効果】
【００１２】
上記のように、本発明は誘導加熱コイルの出力レベルを少なくともとろ火火炎、弱火火炎、中火火炎、強火火炎よりなる炎マーク、またはこの炎マークと、とろ火、弱火、中火、強火よりなる火力目安の組み合わせにして本体に表示することにより、ガスコンロの火力と同等の火力を確認でき、火加減を簡単に調節できる。
【００１３】
特に、長年ガスコンロの火力に慣れ親しんできた高齢者にとってはガスコンロの火力と同様の火加減が簡単に調節でき、使いやすい誘導加熱装置を提供することができる。
【発明を実施するための最良の形態】
【００１４】
以下、本発明の一実施例を図面中の図１及び図２に従って説明する。
【００１５】
図１は本発明の誘導加熱装置の斜視説明図、図２はその出力レベルと発光素子部出力表示部の説明図である。
【００１６】
１は誘導加熱装置の本体、２は本体１の上面を構成する食品載置台で、その下面に誘導加熱コイル（図示せず）が設置されている。３は食品載置台２の上面に載置された鍋で、前記誘導加熱コイルにより加熱される。４は本体１の前面右側に設けられた電源スイッチ、５は本体１の前面左側に設けられた入／切キーで、電源スイッチ４を入れた後、この入／切キー５を押すと加熱が始まる。
【００１７】
６は出力レベル（火加減）を調節する出力調節ツマミで、電源スイッチ４と入／切スイッチ５の間に設けられ、右に回すと出力レベルが大きくなり（火力が強くなる）左に回すと出力レベルが小さくなる（火力が弱くなる）。
【００１８】
７は本体１の上面前部に配置された出力表示部で、図２に示すように、誘導加熱コイルの出力レベルに合わせてとろ火８ａ、弱火８ｂ、中火８ｃ、強火８ｄ、そしてハイパワー８ｅと５つの分類グループに分かれた火力目安８と、これらの分類グループに対応してその上部（下部でも良い）の近傍に配置された１個のとろ火火炎９ａ、３個の弱火火炎９ｂ、４個の中火火炎９ｃ、５個の強火火炎９ｄ、そして６個のハイパワー火炎９ｅよりなる炎マーク９の組み合わせにより構成されている。そして、これらの炎マーク９は、発光素子等によって表示されるようになっており、その火炎の色は、実際のガスコンロの色に合わせて青色や橙色等に設定されており、使用者に長年の使用で馴染みやすいガスコンロの火力にあわせた表現としている。なお、炎マーク９の個数は上記実施例に限定されるものではない。また、この出力表示部７は、本体１の左右両側面のいずれでもよく、また、前面であってもよい。
【００１９】
１０は本体１内に組み込まれた発音体で、本実施例では、上記火力目安８、すなわち、とろ火８ａ、弱火８ｂ、中火８ｃ、強火８ｄ及びハイパワー８ｅの５つの分類グループに対応したとろ火火炎９ａ、弱火火炎９ｂ、中火火炎９ｃ、強火火炎９ｄ、そしてハイパワー火炎９ｅの境界を移動するときに音を発するようになっている。また、この境界を移動するときに異なった音を発することもできる。
【００２０】
上記の構成において、使用者が本体１の食品載置台２上に鍋３を載置し、電源スイッチ４を入れた後、入／切キー５を押して加熱を開始する。
【００２１】
その後、出力調節ツマミ６を操作して誘導加熱コイルの出力レベル（火加減）を調節する。右に回すと出力レベルが大きくなり（火力が強くなる）左に回すと出力レベルが小さくなる（火力が弱くなる）。
【００２２】
今、出力レベルを中火８ｃで加熱を開始すると、中火火炎９ｃが表示され、使用者はその中火火炎９ｃによってガスコンロの中火と同等の火力であると判断し、鍋３の調理を行う。
【００２３】
次に、強火８ｄに切り替えたい場合には出力調節ツマミ６を右に回すと、火力目安８が中火８ｃから強火８ｄに変わり、これとともに炎マーク９も中火火炎９ｃから強火火炎９ｄに変わる。これによって、使用者は誘導加熱コイルの出力レベルがガスの強火と同等の火力であることを確認し、それに合わせて鍋３の調理を行うことができる。また、この火力が切り替わるとき発音体１０は音を発し、中火８ｃから強火８ｄに移ったことを使用者に知らせる。
【００２４】
逆に、出力調節ツマミ６を左に回して火力目安８を中火８ｃから弱火８ｂ、さらにはとろ火８ａにした場合には、それに合わせて弱火火炎９ｂ、とろ火火炎９ａが表示されるとともに、その境界を移動するときに発音体１０は音を発し、弱火８ｂ、とろ火８ａに移ったことを使用者に知らせる。そして、使用者は弱火火炎９ｂ、とろ火火炎９ａの表示を見て、ガスコンロの弱火、とろ火と同等の火力であることを確認し、それに合わせて調理する。
【００２５】
上記の火力目安８の調節において、発音体１０は、炎マーク９の境界を移動するときに異なった音色を発するようにしてもよい。
【００２６】
なお、火力目安８のハイパワー８ｅ及びハイパワー火炎９ｅは、強火８ｄまでの表示の場合にはなくても良い。
【００２７】
次に、図３は本発明の他の実施例を示すもので、とろ火８ａ、弱火８ｂ、中火８ｃ、強火８ｄ、そしてハイパワー８ｅと５つの分類グループに対応したとろ火火炎９ａ、弱火火炎９ｂ、中火火炎９ｃ、強火火炎９ｄ、そしてハイパワー火炎９ｅの炎マーク９をガスコンロの火炎と同じようにリング状とし、かつ、火力に合わせて火炎の高さを変えたものである。これによっても上記実施例と同様に火力の強さを容易に知ることができ、使いやすいものである。
【００２８】
上記の構成により、使用者はガスコンロから誘導加熱装置に買い換えた場合でも長年使用して馴染みやすいガスコンロと同様に出力レベルの調節が簡単にでき、使いやすいものである。
【００２９】
特に、長年ガスコンロの火力に慣れ親しんできた高齢者にとってはガスコンロと同様の火力を知ることができ、火加減が簡単に調節でき、使いやすい誘導加熱装置とすることができる。
【図面の簡単な説明】
【００３０】
【図１】本発明の一実施例を示す誘導加熱装置の概略斜視図である。
【図２】本発明の一実施例を示す誘導加熱装置の加熱出力レベル表示図である。
【図３】本発明の他の実施例を示す誘導加熱装置の加熱出力レベル表示図である。
【図４】従来の誘導加熱装置の加熱出力レベル表示図である。
【符号の説明】
【００３１】
１    本体
２    食品載置台
６    出力調節ツマミ
７    出力表示部
８    火力目安
８ａ  とろ火
８ｂ  弱火
８ｃ  中火
８ｄ  強火
８    火力目安
９    炎マーク
９ａ  とろ火火炎
９ｂ  弱火火炎
９ｃ  中火火炎
９ｄ  強火火炎
１０  発音体
【図１】
2005302408.tif 000003
【図２】
2005302408.tif 000004
【図３】
2005302408.tif 000005
【図４】
2005302408.tif 000006